(57)【要約】【目的】  本発明の目的は、把手を別途設ける必要がなく、天板と支持脚とを一緒に容易に持ち運ぶことができるテーブルを提供する。【構成】  天板１０と、この天板１０を支持する折り畳み可能な支持脚２０を具備する。支持脚２０は、天板１０の幅方向の一端部の裏面に回動自在に取り付けられた第１の脚部２１０と、この第１の脚部２１０にＸ字状に開閉可能に取り付けられており且つ天板１００の幅方向の他端部に設けられた取付部１２０、１２０に着脱可能に取り付けられる第２の脚部２２０とを有し、第２の脚部２２０は、支持脚２００を天板１００に沿って折り畳んだ状態で、その閉塞側の端部２２１( 即ち、一端部) が天板１００の他端部から突出する長さ寸法を有する。【選択図】      図３
2006158588.tif 000002
【特許請求の範囲】
【請求項１】
天板を支持する折り畳み可能な支持脚を備えたテーブルであって、支持脚は、天板の裏面の一端側に回動自在に取り付けられた第１の脚部と、この第１の脚部にＸ字状に開閉可能に取り付けられており且つ天板の裏面の他端側に設けられた取付部に着脱可能に取り付けられる第２の脚部とを有しており、
第２の脚部は、支持脚を天板に沿って折り畳んだ状態で、その一端部が天板の他端部から突出する長さ寸法を有していることを特徴とするテーブル。
【請求項２】
請求項１記載のテーブルにおいて、第２の脚部は略Ｕ字状の部材であって、その閉塞側の端部が天板の他端部から突出する前記一端部となることを特徴とするテーブル。
【請求項３】
請求項２記載のテーブルにおいて、第１の脚部は第２の脚部より幅狭又は幅広の略Ｕ字状の部材であって、その閉塞側の端部が天板に回動自在に取り付けられるようになっていることを特徴とするテーブル。
【請求項４】
請求項１、２又は３記載のテーブルにおいて、天板には、当該天板に沿って折り畳まれた第１、第２の脚部のうち少なくともいずれか一方を保持する保持部が設けられていることを特徴とするテーブル。
【請求項５】
天板の取付部が係合穴である請求項２記載のテーブルにおいて、第２の脚部の閉塞側の端部には、天板の取付部に係合される係合凸部が設けられていることを特徴とするテーブル。
【請求項６】
請求項１、２、３、４又は５記載のテーブルにおいて、前記天板はユーザが座る座部としての機能を有することを特徴とするテーブル。
【発明の詳細な説明】
【技術分野】
【０００１】
本発明はアウトドア等に使用される折り畳み可能な支持脚を備えたテーブルに関する。
【背景技術】
【０００２】
この種のテーブルは、天板と、この天板に着脱可能に取り付けられる支持脚とを具備し、前記支持脚が折り畳み可能になっているものがある( 特許文献１及び２参照) 。特許文献１のデーブルの場合、天板と支持脚とを別々に持ち運ぶことができる。特許文献２のテーブルの場合、支持脚を折り畳んで天板に取り付けた状態で持ち運ぶことができる。
【０００３】
【特許文献１】特開平１０−２６２７３７号公報
【特許文献２】特開平１０−７１０２４号公報
【発明の開示】
【発明が解決しようとする課題】
【０００４】
ところが、特許文献１のテーブルは天板と支持脚とを別々に持ち運ばなければならないことから、持ち運びが不便であるという欠点を有している。一方、特許文献２のテーブルは天板と支持脚とを一緒に持ち運ぶことができるが、ユーザが持ち運ぶための把手を別途設ける必要があるため、部品点数が増加し、コスト高になるという欠点を有している。
【０００５】
本発明は、上記事情に鑑みて創案されたものであって、その目的とするところは、把手を別途設ける必要がなく、天板と支持脚とを一緒に容易に持ち運ぶことができるテーブルを提供することにある。
【課題を解決するための手段】
【０００６】
上記課題を解決するために、本発明のテーブルは、天板を支持する折り畳み可能な支持脚を備えたテーブルであって、支持脚は、天板の裏面の一端側に回動自在に取り付けられた第１の脚部と、この第１の脚部にＸ字状に開閉可能に取り付けられており且つ天板の裏面の他端側に設けられた取付部に着脱可能に取り付けられる第２の脚部とを有しており、第２の脚部は、支持脚を天板に沿って折り畳んだ状態で、その一端部が天板の他端部から突出する長さ寸法を有していることを特徴としている。
【０００７】
第２の脚部は略Ｕ字状の部材である。この第２の脚部の閉塞側の端部が天板の他端部から突出する前記一端部となる。この場合、第１の脚部は第２の脚部より幅狭又は幅広の略Ｕ字状の部材であって、その閉塞側の端部が天板に回動自在に取り付けられるようになっていることが好ましい。
【０００８】
天板には、当該天板に沿って折り畳まれた第１、第２の脚部のうち少なくともいずれか一方を保持する保持部が設けられていることが好ましい。
【０００９】
天板の取付部が係合穴である場合、第２の脚部の閉塞側の端部には、天板の取付部に係合される係合凸部が設けられている。
【００１０】
前記天板はユーザが座る座部としての機能を有する。
【発明の効果】
【００１１】
本発明の請求項１に係るテーブルによる場合、支持脚を天板に沿って折り畳んだ状態で、この支持脚の第２の脚部の一端部が天板の他端部から突出するようになっている。よって、天板の他端部から突出する一端部を把持すれば、容易に持ち運ぶことができる。しかも、第２の脚部の一端部を把手として利用することから従来例のごとく別途把手を設ける必要がないので、低コスト化を図ることができる。
【００１２】
本発明の請求項２に係るテーブルによる場合、第２の脚部は開放端部と閉塞側の端部とを有する略Ｕ字状の部材であり、この第２の脚部の閉塞側の端部が天板の他端部から突出する前記一端部となっている。このため、持ち運ぶ際に把持し易くなる。
【００１３】
本発明の請求項３に係るテーブルによる場合、第１の脚部は第２の脚部を幅寸法の異なる略Ｕ字状の部材を使用している。即ち、第１、第２の脚部が略同じであることから、天板を安定して支持することが可能になる。
【００１４】
本発明の請求項４に係るテーブルによる場合、天板に沿って折り畳まれた状態で、第１、第２の脚部の少なくともいずれか一方が天板の保持部に保持されるようになっている。このため、持ち運びの最中に第１の脚部が回動したり、第１、第２の脚部が開閉したりすることを防止することができるので、更に持ち運びが容易になる。
【００１５】
本発明の請求項５に係るテーブルによる場合、第２の脚部の閉塞側の端部に設けられた係合凸部を天板の係合穴である取付部に係合させるだけで、第２の脚部を天板に取り付けることができる。即ち、第２の脚部を天板から容易に着脱することができる。
【００１６】
本発明の請求項６に係るテーブルによる場合、天板がユーザが座ることが可能な座部としても機能するようになっているので、テーブルとしてだけでなく椅子としても使用することができる。即ち、汎用性が高い製品とすることができる。
【発明を実施するための最良の形態】
【００１７】
以下、本発明の実施の形態に係るテーブルについて図面を参照しながら説明する。図１は本発明の実施の形態に係るテーブルの斜視図、図２は同テーブルの正面図、図３は同テーブルの底面図であって、( ａ) が組み立てた状態の図、( ｂ）が折り畳んだ状態の図、図４は同テーブルの断面図であって、( ａ) がＡーＡ断面図、( ｂ) がＢーＢ断面図、図５は同テーブルの第１の設計変更例を示す一部を省略した折り畳んだ状態の底面図、図６は同テーブルの第２の設計変更例を示す折り畳んだ状態の底面図である。
【００１８】
図１及び図２に示すテーブルは、天板１００と、この天板１００を支持する折り畳み可能な支持脚２００を具備しており、支持脚２００は、天板１００の幅方向の一端部の裏面に回動自在に取り付けられた第１の脚部２１０と、この第１の脚部２１０にＸ字状に開閉可能に取り付けられた第２の脚部２２０とを有している。以下、各部を詳しく説明する。
【００１９】
天板１００は矩形状の板材である。この天板１００の幅方向の一端部の裏面( 即ち、裏面の一端側) には支持脚２００の第１の脚部２１０を回動自在に取り付けるための一対の回動支持部１１０、１１０が設けられている。天板１００の幅方向の他端部の裏面( 即ち、裏面の他端側) には支持脚２００の第２の脚部２２０を着脱可能に取り付けるための一対の取付部１２０、１２０が設けられている。また、天板１００の長さ方向の両端部には当該天板１００に沿って折り畳まれた第１、第２の脚部２１０、２２０を保持する保持部１３０、１３０が設けられている。なお、この天板１００はテーブルの天板としてだけでなく、椅子の座部としての機能を有している。
【００２０】
回動支持部１１０、１１０は略逆ひ字状の樹脂成形品である。この回動支持部１１０、１１０は、その凹部に第１の脚部２１０の閉塞側の端部２１１が嵌合した状態で天板１００にネジ止めされる。これにより第１の脚部２１０が天板１０に回動可能に取り付けられる。
【００２１】
取付部１２０、１２０は、図３及び図４に示すように、支持脚２００の第２の脚部２２０の係合凸部２２１ａ、２２１ａを係合する係合穴である。具体的には、楕円形の穴１２１、１２１の上に金属板１２２、１２２が取り付けられた構成となっている。この金属板１２２、１２２は、円形穴部と長穴部とが連通した形状の穴部を有しており、前記長穴部が図示上方向に向けて先細りになっている。
【００２２】
保持部１３０、１３０は、図１に示すように、第１、第２の脚部２１０、２２０が各々嵌合する凹部１３１、１３２を有する樹脂成形品である。この保持部１３０、１３０は天板１０にネジ止めされる。
【００２３】
第１の脚部２１０は略Ｕ字状に折り曲げた金属製のパイプ材である。この第１の脚部２１０の閉塞側の端部２１１( 即ち、一端部) が回動支持部１１０、１１０を用いて天板１０に回動自在に取り付けられる。一方、第１の脚部２１０の開放側の端部２１２、２１２には樹脂製のキャップ２３０、２３０が取り付けらる。即ち、開放側の端部２１２、２１２が地面に設置される。
【００２４】
第２の脚部２２０は略Ｕ字状に折り曲げた金属製のパイプ材である。第２の脚部２２０の幅寸法は第１の脚部２１０の幅寸法より小さくなっている。第２の脚部２２０は、第１の脚部２１０と樹脂製のスペーサ２４０、２４０を挟んでＸ字状にネジ止めされる。これにより第１、第２の脚部２１０、２２０が互いに開閉可能に取り付けられる。
【００２５】
この第２の脚部２２０は、図３( ｂ）に示すように、第１、第２の脚部２１０、２２０を天板１００に沿って折り畳んだ状態で閉塞側の端部２２１が天板１００の幅方向の他端部から突出する長さ寸法を有している。この第２の脚部２２０の閉塞側の端部２２１が持ち運びの際に把持する把持部となる。
【００２６】
また、第２の脚部２２０の閉塞側の端部２２１には、天板１００の取付部１２０、１２０に係合可能な係合凸部２２１ａ、２２１ａ( 図４( ｂ) 参照) が凸設されている。具体的には、係合凸部２２１ａ、２２１ａは取付部１２０、１２０の金属板１２２、１２２の円形穴部から挿入され、長穴部に係合される。
【００２７】
第２の脚部２１０の開放側の端部２２２には第１の脚部２１０と同様に樹脂製のキャップ２３０、２３０が取り付けられる。即ち、開放側の端部２１２、２１２が地面に設置される。
【００２８】
このような構成の組み立てられたテーブルは、不使用時には、図３( ｂ）に示すように、支持脚２００が天板１００に沿って折り畳まれている。このとき、第１、第２の脚部２１０、２２０は、互いに略平行に位置し( 即ち、閉じている。) 、保持部１３０、１３０に嵌合され保持されている。
【００２９】
このテーブルは次のような手順で組み立てられる。まず、第１、第２の脚部２１０、２２０と保持部１３０、１３０との嵌合を外し、第１の脚部２１０を回動させる。このとき、第２の脚部２２０の閉塞側の端部２２１を天板１００の幅方向の他端部に向けて移動させる。すると、第１、第２の脚部２１０、２２０が開いてＸ字状になる( 図１、２及び図３（ａ）参照) 。そして、第２の脚部２２０の閉塞側の端部２２１の係合凸部２２１ａ、２２１ａを天板１００の取付部１２０、１２０に取り付ける。この状態で支持脚２００が天板１００を支持する。このようにしてテーブルを組み立てる。
【００３０】
このテーブルを持ち運ぶときには、組立手順と反対の手順で、図３( ｂ）に示すように、支持脚２００を天板１００に沿って折り畳む。そして、天板１００の幅方向の他端部から突出した第２の脚部２２０の閉塞側の端部２２１を把持して持ち運ぶ。
【００３１】
このようなテーブルによる場合、支持脚２００を天板１００に沿って折り畳んだ状態で、この支持脚２００の第２の脚部２２０の閉塞側の端部２２１が天板１００の幅方向の他端部から突出するようになっている。このため、天板１００の他端部から突出する閉塞側の端部２２１を把持すれば、テーブルを容易に持ち運ぶことができる。しかも、第２の脚部２２０の閉塞側の端部２２１を把手として利用するようになっていることから従来例のごとく別途把手を設ける必要がないので、低コスト化を図ることができる。
【００３２】
更に、天板１００が椅子の座部としての機能も有しているので、テーブルとしてだけでなく椅子としても使用することができる。
【００３３】
なお、このテーブルは、天板を支持する折り畳み可能な支持脚を備えたテーブルであって、支持脚は、天板の裏面の一端側に回動自在に取り付けられた第１の脚部と、この第１の脚部にＸ字状に開閉可能に取り付けられており且つ天板の裏面の他端側に設けられた取付部に着脱可能に取り付けられる第２の脚部とを有しており、第２の脚部は、支持脚を天板に沿って折り畳んだ状態で、その一端部が天板の他端部から突出する長さ寸法を有する限りどのような設計変更を行ってもかまわない。
【００３４】
天板１００の形状は、矩形状であるとしたが、どのような形状であってかまわない。天板１００に取り付けられた取付部１２０、１２０は、第２の脚部２２０の一端部を着脱可能に取り付けることができるものであればどのようなものであっても良い。例えば、取付部１２０を係合凸部とし、第２の脚部２２０の一端部に係合穴を設けるようにしても良いし、取付部１２０を第２の脚部２２０の一端部が当接する当止部としても良い。この場合には、取付部１２０には矩形状の木材等を使用し、第２の脚部２２０の一端部には特に何も設けなくても良い。また、保持部１３０については、設けるか否か任意である。
【００３５】
第１、第２の脚部２１０、２２０は、略Ｕ字状であるとしたが、これに限定されるものではない。例えば、図５に示すように、略Ｏ字状としても良いし、図６に示すように、一端部側が湾曲した一対の脚部としても良い。また、第１、第２の脚部２１０、２２０は同じ形状でなくても良く、略Ｕ字状のものや略Ｏ字状のものを組み合わせることが可能である。
【００３６】
なお、上記実施例では、テーブル及び椅子として使用できると説明したが、天板をクッション製のある座部などに替えて椅子に設計変更ことができることはいう迄もない。
【図面の簡単な説明】
【００３７】
【図１】本発明の実施の形態に係るテーブルの斜視図である。
【図２】同テーブルの正面図である。
【図３】同テーブルの底面図であって、( ａ) が組み立てた状態の図、( ｂ）が折り畳んだ状態の図である。
【図４】同テーブルの断面図であって、( ａ) がＡーＡ断面図、( ｂ) がＢーＢ断面図である。
【図５】同テーブルの第１の設計変更例を示す一部を省略した折り畳んだ状態の底面図である。
【図６】同テーブルの第２の設計変更例を示す折り畳んだ状態の底面図である。
【符号の説明】
【００３８】
１００  天板
１１０  回動支持部１１０
１２０  取付部
１３０  保持部
２００  支持脚
２１０  第１の脚部
２２０  第２の脚部
【図１】
2006158588.tif 000003
【図２】
2006158588.tif 000004
【図３】
2006158588.tif 000005
【図４】
2006158588.tif 000006
【図５】
2006158588.tif 000007
【図６】
2006158588.tif 000008